(57)【要約】【課題】  高調波電流を効果的に抑制することができる電源システム及び空気調和装置を提供する。【解決手段】  コンデンサ入力型の室外電源装置３１を有する室外機と、コンデンサ入力型の室内電源装置３２を有する室内機とを備え、室外電源装置３１と室内電源装置３２とを並列に交流電源に接続し、それぞれの負荷に電力供給する空気調和装置において、室外電源装置３１及び室内電源装置３２へ入力される交流電流を検出する電流検出部４４と、電流検出部４４の電流検出結果に基づいて、交流電流の高調波成分を低減させる制御を行う高調波抑制部５４とを備えた。【選択図】      図２
2004364491.tif 000002
【特許請求の範囲】
【請求項１】
交流電力を直流電力に変換する整流回路と、この整流回路の出力側に接続される平滑コンデンサとを備えた複数台の電源装置を、並列に交流電源に接続する電源システムにおいて、
前記複数台の電源装置へ入力される交流電流を検出する電流検出部と、
前記電流検出部の電流検出結果に基づいて、前記交流電流の高調波成分を低減させる制御を行う高調波抑制部とを備えたことを特徴とする電源システム。
【請求項２】
請求項１に記載の電源システムにおいて、
前記複数台の電源装置の内、いずれか１台の電源装置に、前記交流電源が接続される電源端子と、この電源端子及び当該電源装置の整流回路を接続する電力供給線とを備え、
この電力供給線と他の電源装置の整流回路とを電気的に接続し、
前記電流検出部は、前記他の電源装置の整流回路が前記電力供給線に接続される接続点と前記電源端子との間の前記電力供給線の電流を検出することを特徴とする電源システム。
【請求項３】
請求項２に記載の電源システムにおいて、
前記複数台の電源装置の内、少なくとも１台の電源装置に、前記高調波抑制部が備えられていることを特徴とする電源システム。
【請求項４】
請求項３に記載の電源システムにおいて、
前記高調波抑制部は、スイッチング素子を有する昇圧コンバータ回路と、前記スイッチング素子をパルス幅変調信号で制御する制御部とを備えたことを特徴とする電源システム。
【請求項５】
圧縮機、室外熱交換器及び室外電源装置を有する室外機と、室内熱交換器及び室内電源装置を有する室内機とを備え、前記室外電源装置と前記室内電源装置とを並列に交流電源に接続し、前記室外電源装置は、交流電力を直流電力に変換する整流回路と、この整流回路の出力側に接続される平滑コンデンサとを有して、前記室外機の負荷に電力供給を可能とし、前記室内電源装置は、交流電力を直流電力に変換する整流回路と、この整流回路の出力側に接続される平滑コンデンサとを有して、前記室外機の負荷に電力供給を可能とした空気調和装置において、
前記室外電源装置及び前記室内電源装置へ入力される交流電流を検出する電流検出部と、
前記電流検出部の電流検出結果に基づいて、前記交流電流の高調波成分を低減させる制御を行う高調波抑制部とを備えたことを特徴とする空気調和装置。
【請求項６】
請求項５に記載の空気調和装置において、
前記室外電源装置は、前記交流電源が接続される電源端子と、この電源端子及び当該室外電源装置の整流回路を接続する電力供給線とを備え、
前記電力供給線と前記室内電源装置の整流回路とを電気的に接続し、
前記電流検出部は、前記室内電源装置の整流回路が前記電力供給線に接続される接続点と前記電源端子との間の前記電力供給線の電流を検出することを特徴とする空気調和装置。
【請求項７】
請求項６に記載の空気調和装置において、
複数台の前記室内機が、前記室外機に冷媒配管で接続され、
前記電力供給線の前記接続点に接続端子を電気的に接続し、
前記複数台の室内機における室内電源装置の整流回路が前記接続端子に電気的に接続されることを特徴とする空気調和装置。
【請求項８】
請求項５に記載の空気調和装置において、
前記室内電源装置は、前記交流電源が接続される電源端子と、この電源端子及び当該室内電源装置の整流回路を接続する電力供給線とを備え、
前記電力供給線と前記室外電源装置の整流回路とを電気的に接続し、
前記電流検出部は、前記室内電源装置の整流回路が前記電力供給線に接続される接続点と前記電源端子との間の前記電力供給線の電流を検出することを特徴とする空気調和装置。
【発明の詳細な説明】
【技術分野】
【０００１】
本発明は、高調波電流の抑制に寄与する電源システム及び空気調和装置に関する。
【背景技術】
【０００２】
一般的に、交流電力を直流電力に変換する整流回路と、この整流回路の出力側に接続される平滑コンデンサとを備えたコンデンサ入力型の電源装置が知られており、この種のコンデンサ入力型の電源装置では、電源周波数の整数倍の周波数を持った高調波電流が生じる。そこで、コンデンサ入力型の電源装置には、この電源装置に入力される交流電流を検出し、この電流検出結果に基づいて、当該電源装置に入力される交流電流の高調波成分を低減させる制御を行う高調波抑制部を備えたものがある（例えば、特許文献１参照。）。
【０００３】
この高調波抑制部を備えた電源装置は、例えば、空気調和装置の室外機に設けられている。そして、交流電源が、この室外機の電源装置の電源端子に接続され、圧縮機等の室外機の負荷に電力供給している。
【０００４】
また、空気調和装置の室内機には、室外機の電源装置と並列に交流電源に接続される電源装置が設けられている。この室内機の電源装置の電力入力端子は、室外機の電源装置の電源端子に配線接続される。このように、室外機の電源装置と室内機の電源装置とで電源システムが構成されている。
【特許文献１】特開平９−４７０８４号公報
【発明の開示】
【発明が解決しようとする課題】
【０００５】
上記電源システムにおける全ての電源装置に高調波抑制部を設けるのは、部品点数が増加するため、例えば、室内機の電源装置には、高調波抑制部を設けずに交流電流の高調波成分を抑制するのが望ましい。
【０００６】
しかし、上記電源システムでは、室外機の電源装置に入力される交流電流は検出しているが、室内機の電源装置に入力される交流電流を検出していないこととなる。従って、高調波抑制部は、室外機の電源装置に入力される交流電流のみで高調波を抑制する制御を行うこととなるため、交流電源により電源システム全体に入力される交流電流の高調波成分を抑制していることにはならず、高調波電流の抑制効果が低いという問題がある。
【０００７】
そこで、本発明の目的は、上述の事情を考慮してなされたものであり、高調波電流を効果的に抑制することができる電源システム及び空気調和装置を提供することにある。
【課題を解決するための手段】
【０００８】
請求項１に記載の発明は、交流電力を直流電力に変換する整流回路と、この整流回路の出力側に接続される平滑コンデンサとを備えた複数台の電源装置を、並列に交流電源に接続する電源システムにおいて、前記複数台の電源装置へ入力される交流電流を検出する電流検出部と、前記電流検出部の電流検出結果に基づいて、前記交流電流の高調波成分を低減させる制御を行う高調波抑制部とを備えたことを特徴とする。
【０００９】
請求項２に記載の発明は、請求項１に記載の電源システムにおいて、前記複数台の電源装置の内、いずれか１台の電源装置に、前記交流電源が接続される電源端子と、この電源端子及び当該電源装置の整流回路を接続する電力供給線とを備え、この電力供給線と他の電源装置の整流回路とを電気的に接続し、前記電流検出部は、前記他の電源装置の整流回路が前記電力供給線に接続される接続点と前記電源端子との間の前記電力供給線の電流を検出するようにしてもよい。
【００１０】
請求項３に記載の発明は、請求項２に記載の電源システムにおいて、前記複数台の電源装置の内、少なくとも１台の電源装置に、前記高調波抑制部が備えられるようにしてもよい。
【００１１】
請求項４に記載の発明は、請求項３に記載の電源システムにおいて、前記高調波抑制部は、スイッチング素子を有する昇圧コンバータ回路と、前記スイッチング素子をパルス幅変調信号で制御する制御部とを備えるようにしてもよい。
【００１２】
請求項５に記載の発明は、圧縮機、室外熱交換器及び室外電源装置を有する室外機と、室内熱交換器及び室内電源装置を有する室内機とを備え、前記室外電源装置と前記室内電源装置とを並列に交流電源に接続し、前記室外電源装置は、交流電力を直流電力に変換する整流回路と、この整流回路の出力側に接続される平滑コンデンサとを有して、前記室外機の負荷に電力供給を可能とし、前記室内電源装置は、交流電力を直流電力に変換する整流回路と、この整流回路の出力側に接続される平滑コンデンサとを有して、前記室外機の負荷に電力供給を可能とした空気調和装置において、前記室外電源装置及び前記室内電源装置へ入力される交流電流を検出する電流検出部と、前記電流検出部の電流検出結果に基づいて、前記交流電流の高調波成分を低減させる制御を行う高調波抑制部とを備えたことを特徴とする。
【００１３】
請求項６に記載の発明は、請求項５に記載の空気調和装置において、前記室外電源装置は、前記交流電源が接続される電源端子と、この電源端子及び当該室外電源装置の整流回路を接続する電力供給線とを備え、前記電力供給線と前記室内電源装置の整流回路とを電気的に接続し、前記電流検出部は、前記室内電源装置の整流回路が前記電力供給線に接続される接続点と前記電源端子との間の前記電力供給線の電流を検出するようにしてもよい。
【００１４】
請求項７に記載の発明は、請求項６に記載の空気調和装置において、複数台の前記室内機が、前記室外機に冷媒配管で接続され、前記電力供給線の前記接続点に接続端子を電気的に接続し、前記複数台の室内機における室内電源装置の整流回路が前記接続端子に電気的に接続されるようにしてもよい。
【００１５】
請求項８に記載の発明は、請求項５に記載の空気調和装置において、前記室内電源装置は、前記交流電源が接続される電源端子と、この電源端子及び当該室内電源装置の整流回路を接続する電力供給線とを備え、前記電力供給線と前記室外電源装置の整流回路とを電気的に接続し、前記電流検出部は、前記室内電源装置の整流回路が前記電力供給線に接続される接続点と前記電源端子との間の前記電力供給線の電流を検出するようにしてもよい。
【発明の効果】
【００１６】
本発明によれば、高調波電流を効果的に抑制することができる。
【発明を実施するための最良の形態】
【００１７】
以下、本発明の実施の形態について図面を参照して説明する。
【００１８】
［１］第１の実施の形態
図１は、本発明における第１の実施の形態の空気調和装置を示す冷媒回路図である。
【００１９】
図１に示すように、空気調和装置１０は室外機１１及び室内機１２を有しており、室外機１１の室外冷媒配管１４と室内機１２の室内冷媒配管１５とが、連結配管２４及び２５を介して連結されている。
【００２０】
室外機１１は室外に配置される。室外冷媒配管１４には、圧縮機１６が配設されるとともに、この圧縮機１６の吸込側にアキュムレータ１７が配設され、圧縮機１６の吐出側に四方弁１８が配設され、この四方弁１８側に室外熱交換器１９及び電動式膨張弁２２が順次配設されて構成される。室外熱交換器１９には、室外熱交換器１９から室外へ送風する室外ファン２０が隣接して配置されている。この室外ファン２０は、室外ファンモータ２０Ａによって駆動される。この室外ファンモータ２０Ａは、例えば、ブラシレスＤＣモータである。圧縮機１６は、圧縮機モータ１６Ａによって駆動される。この圧縮機モータ２０Ａは、例えば、ブラシレスＤＣモータである。
【００２１】
室内機１２は室内に設置され、室内冷媒配管１５には室内熱交換器２１が配設される。この室内熱交換器２１には、室内熱交換器２１から室内へ送風する室内ファン２３が隣接して配置されている。この室内ファン２３は、室内ファンモータ２３Ａによって駆動される。この室内ファンモータ２３Ａは、例えば、ブラシレスＤＣモータである。
【００２２】
空気調和装置１０には、室外機１１に設置される室外制御装置４１と、室内機１２に設置される室内制御装置４２とを備えている。
【００２３】
室外制御装置４１は圧縮機１６の運転周波数（回転数）を制御し、室外ファン２０の回転数を段階的に制御し、電動式膨張弁２２の開度を制御し、運転モードに応じて四方弁１８を切り替える制御を行う。また、室内制御装置４２は、室内ファン２３の回転数の制御を行う。
【００２４】
室内機１２側のリモートコントローラ（図示せず）では、冷房運転又は暖房運転のいずれかの運転モードに設定可能である。
【００２５】
この室外制御装置４１と室内制御装置４２とは、シリアル通信を行うように通信線４３で接続されている。そして、室外制御装置４１は、室内制御装置４２にこの通信線４３を介して室内ファンモータ２３Ａの回転数の指示を送信する。また、室内制御装置４２は、室内の空調負荷の情報や、設定された運転モードの情報、室内ファンモータ２３Ａの回転数を示す情報等の制御情報を、室外制御装置４１に送信する。室外制御装置４１は、受信した制御情報に基づいて圧縮機モータ１６Ａ、室外ファンモータ２０Ａ、四方弁１８及び電動式膨張弁２２を制御する。
【００２６】
冷房運転を行う運転モードに設定された場合、四方弁１８が冷房側に切り替えられ、冷媒が実線矢印の如く流れる。そして、圧縮機１６の運転により圧縮機１６から吐出された冷媒は、四方弁１８を経て室外熱交換器１９に至り、この室外熱交換器１９で凝縮され、電動式膨張弁２２を経て減圧された後、室内機１２の室内熱交換器２１で蒸発されて室内を冷房する。室内熱交換器２１からの冷媒は、室外機１１側に流され、この室外機１１の四方弁１８及びアキュムレータ１７を経て圧縮機１６に戻される。
【００２７】
また、暖房運転を行う運転モードに設定された場合、四方弁１８が暖房側に切り替えられ、冷媒が破線矢印の如く流れる。そして、圧縮機１６の運転により圧縮機１６から吐出された冷媒は、四方弁１８を経て室内機１２の室内熱交換器２１に至り、この室内熱交換器２１にて凝縮されて室内を暖房する。室内熱交換器２１にて凝縮された冷媒は、室外機１１の電動式膨張弁２２で減圧され、室外熱交換器１９で蒸発された後、四方弁１８及びアキュムレータ１７を経て圧縮機１６に戻される。
【００２８】
図２は、第１の実施の形態において空気調和装置に適用された電源システムを示す電気回路図である。また、図３は、電源システムにおける構成の主要部分を示すブロック図である。
【００２９】
電源システム３０は、図２に示すように、室外機１１の電源装置（以下、「室外電源装置」という。）３１と、室内機１２の電源装置（以下、「室内電源装置」という。）３２とを備えている。室外電源装置３１及び室内電源装置３２は、コンデンサ入力型の電源装置である。そして、室外電源装置３１は、交流電源３３に接続されて室外機１１の負荷に電力供給可能に構成される。また、室内電源装置３２は、室外電源装置３１に接続され、この室外電源装置３１を介して室内機１２の負荷に電力供給可能に構成されている。
【００３０】
室外電源装置３１は、交流電源３３が接続される電源端子５１ａ，５１ｂと、チョークコイル５２と、整流回路５３と、高調波抑制部５４と、平滑コンデンサ５５と、インバータ部５６と、室外機１１の負荷としての圧縮機モータ１６Ａが接続される出力端子５７ａ，５７ｂ，５７ｃと、電流検出部４４とを備えている。
【００３１】
電源端子５１ａと整流回路５３とは、電力供給線５８ａで接続されており、電源端子５１ｂと整流回路５３とは、電力供給線５８ｂで接続されている。電力供給線５８ａには、チョークコイル５２が設けられている。このチョークコイル５２は、高調波電流を抑制する受動素子である。
【００３２】
整流回路５３は、直流電力を交流電力に変換する。この整流回路５３は、ダイオードがブリッジ接続されており、全波整流を行うものである。この整流回路５３の出力側には、平滑コンデンサ５５が接続されている。
【００３３】
高調波抑制部５４は、昇圧コンバータ回路５９と、室外制御装置４１における制御部４１ａ（図３）とを備えている。昇圧コンバータ回路５９は、図２に示すように、整流回路５３と平滑コンデンサ５５の間に設けられている。
【００３４】
昇圧コンバータ回路５９は、昇圧用リアクトル５９ａ、昇圧用スイッチング素子（例えば、ＩＧＢＴ）５９ｂ及び逆流防止ダイオード５９ｃを備えている。
【００３５】
具体的に説明すると、整流回路５３の出力端の一端と、平滑コンデンサ５５の一端との間に、昇圧用リアクトル５９ａ及び逆流防止ダイオード５９ｃが直列に設けられ、昇圧用リアクトル５９ａの出力端に昇圧用スイッチング素子５９ｂの一端が接続され、整流回路５３の出力端の他端に昇圧用スイッチング素子５９ｂの他端が接続されている。
【００３６】
インバータ部５６は、インバータ回路６０と室外制御装置４１の制御部４１ｂ（図３）とを備えている。インバータ回路６０は、ブリッジ接続した複数のスイッチング素子（例えば、ＩＧＢＴ）Ｑ１〜Ｑ６を備えている。
【００３７】
電流検出部４４は、電流センサ（例えば、ＣＴ）６１と、室外制御装置４１の処理部４１ｃ（図３）とを備え、電力供給線５８ａの交流電流を検出する。電流センサ６１は、電力供給線５８ａに設けられている。
【００３８】
この電流センサ６１は、電流に対応する電圧を発生する。そして、この電力供給線５８ａの交流電流を示す電圧値が、処理部４１ｃにより取得される。処理部４１ｃは、取得した交流電流を示す電圧値を交流電流データに変換し、この交流電流データを制御部４１ａに送信する。
【００３９】
制御部４１ａには、昇圧用スイッチング素子５９ｂを駆動する不図示の昇圧用スイッチング素子駆動回路が設けられている。昇圧コンバータ回路５９は、高調波抑制回路であり、昇圧用スイッチング素子駆動回路から供給されるパルス幅変調信号に応じた昇圧用スイッチング素子５９ｂのスイッチング動作により、高調波電流を低減させることができる。つまり、制御部４１ａは、高調波電流を抑制すべく、電流検出部４４の電流検出結果（交流電流データ）に基づいて、パルス幅変調信号で昇圧用スイッチング素子５９ｂを制御するものである。
【００４０】
制御部４１ｂには、複数のスイッチング素子Ｑ１〜Ｑ６を駆動するのスイッチング素子駆動回路（図示せず）が設けられている。インバータ回路６０は、このスイッチング素子駆動回路から供給されるパルス幅変調信号に応じて、圧縮機モータ１６Ａに印加する電圧の周波数を調整し、圧縮機モータ１６Ａの回転数を制御する。
【００４１】
また、室内電源装置３２は、交流電力を入力するための電力入力端子７１ａ，７１ｂと、チョークコイル７２と、整流回路７３と、平滑コンデンサ７５と、インバータ部７６と、室内機１２の負荷としての室内ファンモータ２３Ａが接続される出力端子７７ａ，７７ｂ，７７ｃとを備えている。
【００４２】
電力入力端子７１ａと整流回路７３とは、電力供給線７８ａで接続されており、電力入力端子７１ｂと整流回路７３とは、電力供給線７８ｂで接続されている。電力供給線７８ａには、チョークコイル７２が設けられている。このチョークコイル７２は、高調波電流を抑制する受動素子である。
【００４３】
整流回路７３は、直流電力を交流電力に変換する。この整流回路７３は、ダイオードがブリッジ接続されており、全波整流を行うものである。この整流回路７３の出力側には、平滑コンデンサ７５が接続されている。
【００４４】
インバータ部７６は、インバータ回路８０と室内制御装置４２の制御部４２ｂ（図３）とを備えている。インバータ回路８０は、ブリッジ接続した複数のスイッチング素子（例えば、ＩＧＢＴ）Ｑ１１〜Ｑ１６を備えている。
【００４５】
制御部４２ｂには、複数のスイッチング素子Ｑ１１〜Ｑ１６を駆動するスイッチング素子駆動回路（図示せず）が設けられている。インバータ回路８０は、このスイッチング素子駆動回路から供給されるスイッチング信号に応じて、室内ファンモータ２３Ａに印加する電圧の周波数を調整し、室内ファンモータ２３Ａの回転数を制御する。
【００４６】
室外制御装置４１には、図３に示すように、送受信部４１ｄが備えられている。また、室内制御装置４２には、送受信部４２ｄが備えられている。送受信部４１ｄと送受信部４２ｄとが、図２に示すように、室外電源装置３１の送受信端子３４及び室内電源装置３２の送受信端子３５を介して通信線４３で接続されている。
【００４７】
ところで、室外電源装置３１の電力供給線５８ａ，５８ｂと、室内電源装置３２の電力入力端子７１ａ，７１ｂ（つまり、整流回路７３）とは、電気的に接続されている。これにより、室外電源装置３１及び室内電源装置３２は、交流電源３３に並列に接続されることとなる。
【００４８】
室外電源装置３１の電力供給線５８ａ，５８ｂには、室内電源装置３２の電力入力端子７１ａ，７１ｂに接続するための接続端子３６ａ，３６ｂが設けられている。つまり、接続端子３６ａ，３６ｂは、室外電源装置３１の電力供給線５８ａ，５８ｂの接続点３７ａ，３７ｂに電気的に接続されている。
【００４９】
そして、室外電源装置３１の接続端子３６ａ，３６ｂと、室内電源装置３２の電力入力端子７１ａ，７１ｂとが、接続線３８ａ，３８ｂで電気的に接続されている。チョークコイル５２は、接続点３７ａ及び整流回路５３との間に設けられることとなる。
【００５０】
上記電流センサ６１は、室外電源装置３１の電源端子５１ａと接続点３７ａとの間の電力供給線５８ａに設けられる。これによって、電流検出部４４は、室外電源装置３１の電源端子５１ａと接続点３７ａとの間の電力供給線５８ａの交流電流を検出することになる。つまり、電流検出部４４は、複数台（図２では、２台）の電源装置３１，３２へ入力される交流電流を検出することとなる。
【００５１】
以上、第１の実施の形態によれば、高調波抑制部５４は、電源システム３０における全ての電源装置３１，３２に入力される合計の交流電流の電流検出結果に基づいて、電源システム３０に入力される交流電流の高調波成分を低減させる制御を行うこととなるので、高調波電流を効果的に抑制することができる。
【００５２】
また、第１の実施の形態によれば、高調波抑制部５４を１つの電源装置３１に設け、他の電源装置３２には高調波抑制部を設ける必要がないので、部品点数を削減することができる。
【００５３】
また、第１の実施の形態によれば、交流電源３３に並列に複数台（図２では２台）の電源装置３１，３２を接続する場合、室外電源装置３１が電源端子５１ａ，５１ｂ及び接続端子３６ａ，３６ｂを備えているので、室外電源装置３１の電源端子５１ａ，５１ｂに交流電源３３を接続し、残りの電源装置である室内電源装置３２の電力入力端子７１ａ，７１ｂを室外電源装置３１の電源端子３６ａ，３６ｂに接続するだけよく、簡単な配線作業で高調波電流を効果的に抑制することができる。
【００５４】
ここで、室外電源装置３１に接続される負荷（圧縮機モータ１６Ａ）に入力される最大電流は、室内電源装置３２に接続される負荷（室内ファンモータ２３Ａ）に入力される最大電流よりも大きい。例えば、室外電源装置３１に接続される負荷（圧縮機モータ１６Ａ）に入力される最大電流（実効値）は、１０［Ａ］であり、室内電源装置３２に接続される負荷（室内ファンモータ２３Ａ）に入力される最大電流（実効値）は、１［Ａ］である。従って、室外電源装置３１の整流回路５３と平滑コンデンサ５５の間に、高調波抑制部５４の昇圧コンバータ回路５９を設けているので、より効率よく高調波電流を抑制することができる。
【００５５】
［２］第２の実施の形態
上記第１の実施の形態では、室外電源装置は、交流電源に接続されて室外機の負荷に電力供給可能に構成され、また、室内電源装置は、室外電源装置に接続され、この室外電源装置を介して室内機の負荷に電力供給可能に構成される場合について説明した。本第２の実施の形態では、室内電源装置は、交流電源に接続されて室内機の負荷に電力供給可能に構成され、また、室外電源装置は、室内電源装置に接続され、この室内電源装置を介し室外機の負荷に電力供給可能に構成される場合について説明する。ここで、この第２の実施の形態では、第１の実施の形態と同様の構成については、同一符号を付して説明を省略する。
【００５６】
図４は、第２の実施の形態において空気調和装置に適用された電源システムを示す電気回路図である。また、図５は、電源システムにおける構成の主要部分を示すブロック図である。
【００５７】
電源システム１３０は、図４に示すように、室外電源装置１３１と、室内電源装置１３２とを備えている。
【００５８】
室外電源装置１３１及び室内電源装置１３２は、コンデンサ入力型の電源装置である。そして、室内電源装置１３２は、交流電源３３に接続されて室内機１２の負荷に電力供給可能に構成される。また、室外電源装置１３１は、室内電源装置１３２に接続され、この室内電源装置１３２を介して室外機１１の負荷に電力供給可能に構成されている。
【００５９】
室内電源装置１３２は、交流電源３３が接続される電源端子１７１ａ，１７１ｂと、電流検出部と１４４を備えている。
【００６０】
電源端子１７１ａと整流回路７３とは、電力供給線７８ａで接続されており、電源端子１７１ｂと整流回路７３とは、電力供給線７８ｂで接続されている。電力供給線７８ａには、チョークコイル７２が設けられている。
【００６１】
電流検出部１４４は、電流センサ（例えば、ＣＴ）１６１と、室内制御装置４２の処理部４２ｃ（図５）とを備え、電力供給線７８ａの交流電流を検出する。電流センサ１６１は、電力供給線７８ａに設けられている。
【００６２】
この電流センサ１６１は、電流に対応する電圧を発生する。そして、この電力供給線７８ａの交流電流を示す電圧値が、処理部４２ｃにより取得される。処理部４２ｃは、取得した交流電流を示す電圧値を交流電流データに変換し、この交流電流データを送受信部４２ｄに送る。この送受信部４２ｄは、交流電流データを室外制御装置４１の送受信部４１ｄに通信線４３を通じて送信する。室外制御装置４１の送受信部４１ｄは、室内制御装置４２の送受信部４２ｄより受信した交流電流データを制御部４１ａに送る。
【００６３】
制御部４１ａは、高調波電流を抑制すべく、電流検出部１４４の電流検出結果（交流電流データ）に基づいて、パルス幅変調信号で昇圧用スイッチング素子５９ｂを制御するものである。
【００６４】
また、室外電源装置１３１は、図４に示すように、電力入力端子１５１ａ，１５１ｂを備えている。
【００６５】
室外電源装置１３１の電力入力端子１５１ａと整流回路５３とは、電力供給線５８ａで接続されており、電力入力端子１５１ｂと整流回路５３とは、電力供給線５８ｂで接続されている。電力供給線５８ａには、チョークコイル５２が設けられている。
【００６６】
ところで、室内電源装置１３２の電力供給線７８ａ，７８ｂと、室外電源装置１３１の電力入力端子１５１ａ，１５１ｂ（つまり、整流回路５３）とは、電気的に接続されている。これにより、室外電源装置１３１及び室内電源装置１３２は、交流電源３３に並列に接続されることとなる。
【００６７】
室内電源装置１３２の電力供給線７８ａ，７８ｂには、室外電源装置１３１の電力入力端子１５１ａ，１５１ｂに接続するための接続端子１３６ａ，１３６ｂが設けられている。つまり、接続端子１３６ａ，１３６ｂは、室内電源装置１３２の電力供給線７８ａ，７８ｂの接続点１３７ａ，１３７ｂに電気的に接続されている。
【００６８】
そして、室内電源装置１３２の接続端子１３６ａ，１３６ｂと、室外電源装置１３１の電力入力端子１５１ａ，１５１ｂとが、接続線１３８ａ，１３８ｂで電気的に接続されている。チョークコイル７２は、接続点１３７ａと整流回路７３との間に設けられることとなる。
【００６９】
上記電流センサ１６１は、室内電源装置１３２の電源端子１７１ａと接続点１３７ａとの間の電力供給線７８ａに設けられる。これによって、電流検出部１４４は、室内電源装置１３２の電源端子１７１ａと接続点１３７ａとの間の電力供給線７８ａの交流電流を検出することになる。つまり、電流検出部１４４は、複数台（図４では、２台）の電源装置３１，３２へ入力される交流電流を検出することとなる。
【００７０】
以上、第２の実施の形態によれば、第１の実施の形態と同様に、高調波抑制部５４は、電源システム１３０における全ての電源装置１３１，１３２に入力される合計の交流電流の電流検出結果に基づいて、電源システム１３０に入力される交流電流の高調波成分を低減させる制御を行うこととなるので、高調波電流を効果的に抑制することができる。
【００７１】
また、第２の実施の形態によれば、室内電源装置１３２は、電流検出部１４４により検出された検出結果を、高調波抑制部５４を有する室外電源装置１３１の送受信部４１ｄに送信する送受信部４２ｄを備えているので、室外電源装置１３１の高調波抑制部５４によって電源システム１３０に入力される交流電流の高調波電流を効果的に抑制することができる。
【００７２】
［３］第３の実施の形態
第１の実施の形態では、室内機が１台の場合について説明したが、第３の実施の形態では、室内機が複数台（例えば、２台）の場合について説明する。ここで、この第３の実施の形態では、第１の実施の形態と同様の構成については、同一符号を付して説明を省略する。
【００７３】
図６は、第３の実施の形態における空気調和装置の電源システムを示すブロック図である。
【００７４】
空気調和装置１００は、１台の室外機１１と、複数台（図６では２台）の室内機１２−１，１２−２を備えている。室外機１１と、室内機１２−１，１２−２とは、冷媒配管で接続されている。
【００７５】
室外機１１には、室外電源装置３１が備えられている。また、室内機１２−１及び室内機１２−２には、室内電源装置３２が備えられている。そして、電源システム２００は、室外機１１の室外電源装置３１、並びに室内機１２−１の室内電源装置３２及び室内機１２−２の室内電源装置３２を備えている。
【００７６】
尚、図６に示す室外電源装置３１は、図２に示す室外電源装置３１の電気回路図と同様の構成である。また、図６に示す室内電源装置３２は、図２に示す室内電源装置３２の電気回路図と同様の構成である。
【００７７】
室外機１１における室外電源装置３１の送受信端子３４と、室内機１２−１及び室内機１２−２における室内電源装置３２と送受信端子３５とは、通信線２１０で接続されている。
【００７８】
室外電源装置３１の接続端子３６ａ，３６ｂには、室内機１２−１の室内電源装置３２の電力入力端子７１ａ，７１ｂ及び室内機１２−２の室内電源装置３２の電力入力端子７１ａ，７１ｂが、接続線２１１ａ，２１１ｂで接続されている。
【００７９】
これによって、室内機１２−１，１２−２における室内電源装置３２の整流回路７３（図２参照）が、室外機１１における室外電源装置３１の接続端子３６ａ，３６ｂに電気的に接続されることとなる。
【００８０】
そして、電流検出部４４（図２参照）は、電源システム２００全体に入力される交流電流を検出することとなる。つまり、電流検出部４４は、全ての電源装置（室外機１１の室外電源装置３１、並びに室内機１２−１の室内電源装置３２及び室内機１２−２の室内電源装置３２）の整流回路に入力される交流電流を検出することとなる。そして、室外電源装置３１の高調波抑制部５４（図２参照）は、この電流検出部４４の電流検出結果に基づいて、電源システム２００に入力される交流電流の高調波電流を抑制する制御を行うこととなる。
【００８１】
以上、本第３の実施の形態によれば、複数台（例えば、２台）の室内機１２−１，１２−２における室内電源装置３２の電力入力端子７１ａ，７１ｂを、室外機１１における室外電源装置３１の接続端子３６ａ，３６ｂに接続するだけで、電源システム２００に入力される交流電流の高調波電流を効果的に抑制することができる。
【００８２】
特に、空気調和装置１００を設置する場合や室内機の台数を変更する場合は、単に接続端子３６ａ，３６ｂと電力入力端子７１ａ，７１ｂとの配線作業を行うだけでよく、施工作業の効率化を図ることができる。
【００８３】
［４］第４の実施の形態
第１〜第３の実施の形態では、インバータ部を備え、交流電力を負荷に供給する場合について説明した。本第４の実施の形態では、直流電力を負荷に供給する場合について説明する。ここで、この第４の実施の形態では、第１或いは第２の実施の形態と同様の構成については、同一符号を付して説明を省略する。
【００８４】
図７は、図２の室外電源装置の変形例である。
【００８５】
室外電源装置２３１の出力端子２４１ａ，２４１ｂには、直流電力が供給される負荷（例えば、不図示のヒータ等）２４２が接続される。この場合においても、上記第１〜第３の実施の形態と同様に、電源システムに入力される交流電流の高調波電流を効果的に抑制することができるという効果を奏する。
【００８６】
また、図８は、図４の室内電源装置の変形例である。
【００８７】
室内電源装置２３２の出力端子２５１ａ，２５１ｂには、直流電力が供給される負荷（例えば、不図示のヒータ等）２５２が接続される。この場合においても、上記第１〜第３の実施の形態と同様に、電源システムに入力される交流電流の高調波電流を効果的に抑制することができるという効果を奏する。
【００８８】
以上、本発明を上記実施の形態に基づいて説明したが、本発明はこれに限定されるものではない。
【００８９】
例えば、上記の実施の形態では、室外電源装置に接続される負荷として圧縮機モータの場合について説明したが、これに限るものではなく、室外機の負荷であればいずれでもよい。例えば、室外ファンモータ等や室外制御装置における電子素子であってもよい。
【００９０】
また、上記の実施の形態では、室内電源装置に接続される負荷として室内ファンモータの場合について説明したが、これに限るものではなく、室外機の負荷であればいずれでもよい。例えば、室内制御装置における電子素子であってもよい。
【００９１】
また、上記の実施の形態では、空気調和装置に電源システムを適用した場合について説明したが、これに限るものではなく、電気機器に上記室外電源装置に相当する電源装置を適用してもよいし、電気機器に上記室内電源装置に相当する電源装置を適用してもよい。これら電気機器は、例えば、パーソナルコンピュータやモニタ、通信装置、オーディオ機器等であってもよい。要は、コンデンサ入力型の電源装置を有する複数台の電気機器が、交流電源に対して並列に接続される予定のあるものに適用することが可能である。
【００９２】
また、上記の実施の形態では、電流検出部は、電流センサを有し、この電流センサを電力供給線に設ける場合について説明したが、電流検出部は、電力供給線に設けられる抵抗と、この抵抗間の電圧を測定してこの測定結果を電流値に変換する変換部とを備えてもよい。
【図面の簡単な説明】
【００９３】
【図１】本発明における第１の実施の形態の空気調和装置を示す冷媒回路図である。
【図２】第１の実施の形態において空気調和装置に適用された電源システムを示す電気回路図である。
【図３】図２の電源システムにおける構成の主要部分を示すブロック図である。
【図４】第２の実施の形態において空気調和装置に適用された電源システムを示す電気回路図である。
【図５】図４の電源システムにおける構成の主要部分を示すブロック図である。
【図６】第３の実施の形態における空気調和装置の電源システムを示すブロック図である。
【図７】図２の室外電源装置の変形例である。
【図８】図４の室内電源装置の変形例である。
【符号の説明】
【００９４】
１０，１００  空気調和装置
１１  室外機
１２，１２−１，１２−２  室内機
１６  圧縮機
１６Ａ  圧縮機モータ（負荷）
１９  室外熱交換器
２１  室内熱交換器
２３Ａ  室内ファンモータ（負荷）
３０，１３０，２００  電源システム
３１，１３１，２３１  室外電源装置（電源装置）
３２，１３２，２３２  室内電源装置（電源装置）
３３  交流電源
３６ａ，３６ｂ，１３６ａ，１３６ｂ  接続端子
３７ａ，３７ｂ，１３７ａ，１３７ｂ  接続点
４１ａ  制御部
４２ｄ  送受信部（送信部）
４４，１４４  電流検出部
５１ａ，５１ｂ，１７１ａ，１７１ｂ  電源端子
５３，７３  整流回路
５４  高調波抑制部
５５，７５  平滑コンデンサ
５８ａ，５８ｂ，７８ａ，７８ｂ  電力供給線
５９  昇圧コンバータ回路
５９ｂ  昇圧用スイッチング素子（スイッチング素子）
７１ａ，７１ｂ，１５１ａ，１５１ｂ  電力入力端子
２４２，２５２  負荷
【図１】
2004364491.tif 000003
【図２】
2004364491.tif 000004
【図３】
2004364491.tif 000005
【図４】
2004364491.tif 000006
【図５】
2004364491.tif 000007
【図６】
2004364491.tif 000008
【図７】
2004364491.tif 000009
【図８】
2004364491.tif 000010